(57)【要約】【課題】 携帯可能な光ファイバー検査装置を提供する。【解決手段】光ファイバー検査装置は、収容空間を備える殼体１１，１２、印刷回路板２０、レーザー光駆動モジュール３０、レーザーダイオード４０、操作スイッチ５０、光ファイバー接続器６０からなり、該光ファイバー接続器の一端は該レーザーダイオードを収納し、反対端は該第一開口において外部露出して検査対象とする光ファイバーに接続する。該操作スイッチを操作して、該レーザー光駆動モジュールにより該レーザーダイオードを駆動し、レーザービームを発し、該光ファイバー接続器から検査対象とする光ファイバーに向けて出力する。【選択図】図１
0003137221.tif 000002
【実用新案登録請求の範囲】
【請求項１】
殼体、印刷回路板、レーザー光駆動モジュール、レーザーダイオード、操作スイッチ、光ファイバー接続器からなり、
該殼体は、内部に収容空間を備え、一端及び上面にはそれぞれ第一開口及び第一開孔を設け、
該印刷回路板は、該レーザー光駆動モジュール、該レーザーダイオード、該操作スイッチ、該光ファイバー接続器を搭載して、該収容空間中に設置され、
該レーザー光駆動モジュールは、該印刷回路板上に設置されて該レーザーダイオードに接続し、
該操作スイッチは、該レーザー光駆動モジュールに接続されると共に該開孔から外部に露出して配置され、
該光ファイバー接続器の一端は該レーザーダイオードを収納し、反対端は検査対象とする光ファイバーに接続可能に該第一開口から露出し、
該操作スイッチの操作により、該レーザー光駆動モジュールによりレーザーダイオードを駆動してレーザービームを発し、該光ファイバー接続器から検査対象とする光ファイバーに対して出力することを特徴とする光ファイバー検査装置。
【請求項２】
前記殼体は、絶縁材により形成される上殼体及び下殼体からなり、該上殼体及び該下殼体は相互に蓋合して内部に該収容空間を形成し、且つ上記第一開口は該上殼体及び該下殼体の前端に位置し、該開孔は該上殼体上に位置し、さらに、該下殼体はポケットなどに挟持する挟持部を備えることを特徴とする請求項１記載の光ファイバー検査装置。
【請求項３】
前記絶縁材は、プラスチックで、後記上殼体上にはさらに第二開口及び第二開孔を設け、さらに上記収容空間の上記第一開口の反対側には電池室を設けて該電池室中には２個の電極を具えることを特徴とする請求項２記載の光ファイバー検査装置。
【請求項４】
前記光ファイバー検査装置は、さらに二段切換スイッチを備え、上記レーザー光駆動モジュールに接続されると共に上記第二開口から外部に露出し、該レーザー光駆動モジュールの出力を連続レーザービーム或いはレーザービームパルスに切り換え、該レーザービームの波長は650nmであることを特徴とする請求項３記載の光ファイバー検査装置。
【請求項５】
前記操作スイッチの外側にはさらにプッシュ部品、装飾片及び指示装置を備え、該プッシュ部品は該操作スイッチに嵌設し、これにより使用者は該操作スイッチを押して操作し、該装飾片上にはさらに第一円孔及び第二円孔を備えて該第一円孔は該プッシュ部品を外部に露出させ、該指示装置は該操作スイッチに接続し、かつ該第二開孔及び該第二円孔から外部に露出し、該指示装置は発光ダイオードであることを特徴とする請求項１記載の光ファイバー検査装置。
【請求項６】
前記光ファイバー接続器は、SC/LC/FC接続器であって、上記第一開口の外側にはさらに透光片を備えて該光ファイバー接続器を保護すると共に、該レーザービームを透過させることを特徴とする請求項１記載の光ファイバー検査装置。
【請求項７】
前記光ファイバー検査装置は、さらに電池及びスイッチ部品を備え、該電池は該電池室中に設置して該電極を通して該レーザー光駆動モジュール及び該レーザーダイオードに接続して必要な電源を供給し、
該スイッチ部品は、該二段切換スイッチの外側に嵌設し、使用者は該スイッチ部品を介して該二段切換スイッチを切換え操作するようにしたことを特徴とする請求項１記載の光ファイバー検査装置。
【請求項８】
前記レーザー光駆動モジュール、レーザーダイオード及び光ファイバー接続器は、モジュール化されたものであることを特徴とする請求項１記載の光ファイバー検査装置。
【考案の詳細な説明】
【技術分野】
【０００１】
本考案は、光ファイバー検査装置に関する。特に、体積が小さく、携帯に有利な光ファイバー検査装置に係る。
【背景技術】
【０００２】
光ファイバーは帯域幅が広く、機密保持性が良好で、電磁波の干渉を受けない等の長所があるため、その敷設率は急速に上昇しており、通信及び電信業界のヒット製品である。光ファイバーは、常に高価で、しかも折れ易いため、一般に保護管或いは地下トンネル中に敷設し、人為的な破壊を回避する。
しかし、上記保護管或いは地下トンネルの直径は通常は狭い。しかも、一般に公知の光ファイバー検査装置の体積は比較的大きく、携帯に不便である。そのため、光ファイバーの故障時、作業人員は大型の光ファイバー検査装置を使用して光ファイバー検査を行うことができず、理想的でない。
よって新型の光ファイバー検査装置を開発し、上記欠陥を克服する必要がある。
【特許文献１】特許第３６７３６４９号公報
【特許文献２】特開２００５−１８９２２０号公報
【考案の開示】
【考案が解決しようとする課題】
【０００３】
本考案が解決しようとする主要な課題は光ファイバー検査装置において、体積が小さく、携帯可能とすることにある。
さらに、本考案が解決しようとする次なる課題は、光ファイバー検査装置において、連続レーザービーム(CW)或いはレーザービームパルス(pulse)を出力する、二段切換スイッチを備え、必要に応じて調整可能とする。
【課題を解決するための手段】
【０００４】
上記課題を解決するため、本考案は下記の光ファイバー検査装置を提供する。
殼体、印刷回路板、レーザー光駆動モジュール、レーザーダイオード、操作スイッチ、光ファイバー接続器からなり、
該殼体は収容空間を備え、しかも一端には第一開口及び第一開孔を備え、
該印刷回路板は該収容空間中に設置し、該レーザー光駆動モジュール、該レーザーダイオード、該操作スイッチ、該光ファイバー接続器を設置し、
該レーザー光駆動モジュールは該印刷回路板上に設置し、
該レーザーダイオードは該レーザー光駆動モジュールに接続し、
該操作スイッチは該レーザー光駆動モジュールに接続し、しかも該開孔において露出し、
該光ファイバー接続器の一端は該レーザーダイオードを収容可能で、反対端は該第一開口において露出し、しかも検査を待つ光ファイバーに接続可能で、
これにより該操作スイッチが押されると、該レーザー光駆動モジュールは該レーザーダイオードを駆動しレーザービームを発し、該光ファイバー接続器により出力する。
【考案の効果】
【０００５】
上記のように現行の技術と比較すると、本考案の光ファイバー検査装置は体積が小さく携帯に便利であるため、工程人員は保護管或いは地下トンネル中において便利に光ファイバーの検査及びメンテナンスを行うことができる。
【考案を実施するための最良の形態】
【０００６】
本考案の前記の及び他の技術内容、特徴と機能について、以下に図を用いて最適実施例について詳細に説明する。
本考案最適実施例の光ファイバー検査装置の分解指示図である図1、透視図である図2、そのブロックチャートである図3に示すように、本考案の光ファイバー検査装置は殼体10、印刷回路板20、レーザー光駆動モジュール30、レーザーダイオード40、操作スイッチ50、光ファイバー接続器60を組合せて構成する。
【０００７】
該殼体10は、プラスチック材料(但し、これに限定しない)などの絶縁材により製造し、さらに上殼体11及び下殼体12を具える。該上殼体11及び該下殼体12は、相互に蓋合して内部に収容空間13を形成し、該上殼体11及び該下殼体12の前端には第一開口14を備え、該上殼体11上側には第一開孔111、第二開口112及び第二開孔113を具える。
該印刷回路板20は、該収容空間13中に設置し、該レーザー光駆動モジュール30、レーザーダイオード40、操作スイッチ50以及び光ファイバー接続器60等部品を設置する。これは公知技術であるためここでは詳述しない。
該レーザー光駆動モジュール30は、該印刷回路板20上に設置し、該レーザーダイオード40を駆動する。
該レーザーダイオード40は、該印刷回路板20上に設置し、該レーザー光駆動モジュール30に接続し、該レーザー光駆動モジュール30の駆動を受け、レーザービームを発する。該レーザービームの波長は650nmなど(但し、これに限定しない)である。
【０００８】
該操作スイッチ50は、該印刷回路板20上に設置し、該レーザー光駆動モジュール30に接続し、上記第一開孔111から上方に露出して、押して操作されることにより該レーザー光駆動モジュール30を作動させる。この他、該操作スイッチ50の外側にはさらにプッシュ部品51を備え、該操作スイッチ50に嵌設し、これにより使用者は該操作スイッチ50を押すことができる。また、該プッシュ部品51の外側にはさらに装飾片52を備え、それは第一円孔53及び第二円孔54を備え、該第一円孔53は該プッシュ部品51を露出させる。
該光ファイバー接続器60の一端は該レーザーダイオード40を収容して反対端は該第一開口14において外部に露出して検査対象となる光ファイバー(図示なし)に接続可能である。これらの内、該光ファイバー接続器は、SC/LC/FC光ファイバー接続器である。この他、該光ファイバー接続器60の外側にはさらに透光片61を備え、それは該第一開口14の外側に設置し、該光ファイバー接続器60を保護すると共に該レーザービームを透過させる。
この他、本考案の光ファイバー検査装置は、さらに二段切換スイッチ70を備え、該レーザー光駆動モジュール30に接続し、上記第二開口112から上方に露出し、これにより該レーザー光駆動モジュール30を切換えて、連続レーザービーム(CW)或いは一レーザービームパルス(pulse)を出力させることができる。また、該二段切換スイッチ70の外側にはさらにスイッチ部品71を備え、該二段切換スイッチ70に嵌設し、これにより使用者は該二段切換スイッチ70を切換え操作する。
【０００９】
この他、本考案の光ファイバー検査装置は、さらに指示装置80を具える。それは該操作スイッチ50に接続し、該第二開孔113及び該第二円孔54から露出して、該光ファイバー検査装置の操作状態を表示する。該指示装置80は発光ダイオード(但し、これに限定しない)などである。
また、本考案の光ファイバー検査装置はさらに電池90を備え、該収容空間13の反対側には電池室15を具える。該電池90は該電池室15中に設置し、該電極151、152を経由して該レーザー光駆動モジュール30、レーザーダイオード40、操作スイッチ50及び指示装置80に接続する。こうして必要な電源を供給し、該電池90は一般の使い捨て電池或いは充電電池である。
さらに、本考案の光ファイバー検査装置の下殼体12は、挟持部121を備え、これにより作業員は該光ファイバー検査装置をポケットに挟持することができる。
【００１０】
以上の各部品を組立後、先ず該二段切換スイッチ70を連続レーザービーム(CW)モードに切換え、さらに検査対象となる光ファイバー(図示なし)を該光ファイバー接続器60に接続する。次に、該操作スイッチ50を押し、こうして該レーザー光駆動モジュール30は該レーザーダイオード40を駆動して、650nm波長の連続性赤色レーザービームを発する。さらに該光ファイバー接続器60を経由し、該透光片61の出力を通して、該連続性赤色レーザービームは該光ファイバー接続器60を経て検査対象とする光ファイバーに屈折入射し、該光ファイバーに沿って前進する。検査対象の光ファイバー上に赤色光点が出現すると、赤色レーザービームがそれ以上屈折入射不可能であることを示し、また該点が該検査対象とする光ファイバーの中断点である。
また、該二段切換スイッチ70をレーザービームパルス(pulse)モードに切換え、検査対象とする光ファイバー(図示なし)を該光ファイバー接続器60に接続し、次に該操作スイッチ50を押す。こうして該レーザー光駆動モジュール30は、該レーザーダイオード40を駆動し、波長が650nmであるレーザービームパルスを発する。該光ファイバー接続器60の出力を経て、該レーザービームパルスは該光ファイバー接続器60を通して検査対象とする光ファイバー内を屈折進行し、検査を待つ光ファイバーに沿って進行し、光ファイバー検査を行う。
【００１１】
本考案の光ファイバー検査装置は、体積が小さく、携帯に便利で、作業人員のポケット中に挟持でき、しかも二段切換スイッチを具えるため、必要に応じて調整して連続レーザービーム或いはレーザービームパルスを出力することができる。よって公知光ファイバー検査装置の欠点を改善することができる。
本考案は、具体的実施例を上記の通り開示したが、これらは最適実施例に過ぎず、本考案の製品と領域を脱しない範囲内で各種の変動や潤色を加えることができ、したがって本考案の保護範囲は、実用新案請求の範囲で指定した内容を基準とする。
本考案は目的、手段、機能と効果のすべてにおいて公知の技術より優れており、しかも全く新しい考案で、実用的であり、実用新案の申請要件を満たしている。
【図面の簡単な説明】
【００１２】
【図１】本考案最適実施例の光ファイバー検査装置の分解指示図である。
【図２】本考案最適実施例の光ファイバー検査装置の組合せ指示図である。
【図３】本考案最適実施例の光ファイバー検査装置のブロックチャートである。
【符号の説明】
【００１３】
10  殼体
11上殼体
111  第一開孔
112第二開口
113  第二開孔
12  下殼体
121  挟持部
13  収容空間
14  第一開口
15  電池室
151、152  電極
20  印刷回路板
30  レーザー光駆動モジュール
40  レーザーダイオード
50  操作スイッチ
51プッシュ部品
52  装飾片
53  第一円孔
54  第二円孔
60  光ファイバー接続器
61  透光片
70  二段切換スイッチ
80  指示装置
90  電池
【図１】
0003137221.tif 000003
【図２】
0003137221.tif 000004
【図３】
0003137221.tif 000005